(57)【要約】【課題】透過画像合成に係る操作負担を軽減することを可能とする画像合成装置を提供する。【解決手段】画像合成装置１は、背景画像読込手段１１、合成領域設定変換手段１２、テクスチャ画像読込手段１３、透過情報分離手段１４、画像合成手段１５、合成画像表示手段１６、記憶部２３を備える。背景画像読込手段１１は、背景画像３１を選択して読み込む。合成領域設定変換手段１２は、合成領域の設定及び変換を行う。テクスチャ画像読込手段１３は、テクスチャ画像３２を選択して読み込む。透過情報分離手段１４は、透過テクスチャ画像３４から透過情報を分離する。画像合成手段１５は、背景画像３１とテクスチャ画像とを非透過的に合成して一般合成画像を作成し、分離した透過情報を用いて背景画像３１とテクスチャ画像とを透過的に合成して透過合成画像を作成する。合成画像表示手段１６は、一般合成画像及び透過合成画像を出力する。【選択図】図１
2008052398.tif 000002
【特許請求の範囲】
【請求項１】
背景画像と透過テクスチャ画像とを保持する保持手段と、
前記背景画像を選択して読み込む背景画像読込手段と、
前記背景画像に合成領域を設定して所定の変換処理を行う合成領域設定変換手段と、
前記透過テクスチャ画像を選択して読み込む透過テクスチャ画像読込手段と、
前記透過テクスチャ画像から透過情報と色情報とを分離する透過情報分離手段と、
前記透過情報と前記色情報とに対してそれぞれ所定の変換処理を行い、前記背景画像の合成領域に透過画像合成する透過画像合成手段と、
前記透過画像合成の結果である透過合成画像を表示する透過合成画像表示手段と、
を具備することを特徴とする画像合成装置。
【請求項２】
前記透過画像合成手段は、前記透過情報に対して遠近変換または曲面変換の少なくともいずれかを行うことを特徴とする請求項１に記載の画像合成装置。
【請求項３】
前記透過画像合成手段は、前記色情報から作成される非透過テクスチャ画像に対して遠近変換または曲面変換または陰影処理の少なくともいずれかを行うことを特徴とする請求項１または請求項２に記載の画像合成装置。
【請求項４】
前記透過テクスチャ画像は、前記色情報を示すＲ成分及びＢ成分及びＧ成分と、前記透過情報を示すαチャンネル成分と、を含む画像データであることを特徴する請求項１から請求項３までのいずれかに記載の画像合成装置。
【請求項５】
前記透過テクスチャ画像は、ＰＮＧ形式あるいはＴＩＦＦ形式の画像データであることを特徴とする請求項１から請求項４までのいずれかに記載の画像合成装置。
【請求項６】
コンピュータを請求項１から請求項５までのいずれかに記載の画像合成装置として機能させるプログラム。
【請求項７】
コンピュータを請求項１から請求項５までのいずれかに記載の画像合成装置として機能させるプログラムを記録したコンピュータ読取可能な記録媒体。
【発明の詳細な説明】
【技術分野】
【０００１】
本発明は、複数の画像を合成する画像合成装置に関する。
【背景技術】
【０００２】
従来、画像合成装置は、複数の画像を重畳することにより画像合成を行う。また、曲面や遠近を考慮して、背景画像（原画像）とテクスチャ画像（柄画像）とを画像合成する柄替えシミュレーションシステムが提案されている（例えば、［特許文献１］参照。）。この柄替えシミュレーションシステムは、背景画像を読み込み、合成領域の設定を行い、遠近や曲面を考慮して合成領域の変換を行い、テクスチャ画像を読み込み、画像合成を行う。
【０００３】
【特許文献１】特開２００２−３４２７８２号公報
【発明の開示】
【発明が解決しようとする課題】
【０００４】
しかしながら、一般の画像合成アプリケーションを用いて、合成領域における背景画像の情報を保持したまま、テクスチャ画像の透過画像合成を行う場合、高度な操作技術や経験が必要であり、作業負荷が増大するという問題点がある。
【０００５】
本発明は、以上の問題点に鑑みてなされたものであり、透過画像合成に係る操作負担を軽減することを可能とする画像合成装置を提供することを目的とする。
【課題を解決するための手段】
【０００６】
前述した目的を達成するために第１の発明は、背景画像と透過テクスチャ画像とを保持する保持手段と、前記背景画像を選択して読み込む背景画像読込手段と、前記背景画像に合成領域を設定して所定の変換処理を行う合成領域設定変換手段と、前記透過テクスチャ画像を選択して読み込む透過テクスチャ画像読込手段と、前記透過テクスチャ画像から透過情報と色情報とを分離する透過情報分離手段と、前記透過情報と前記色情報とに対してそれぞれ所定の変換処理を行い、前記背景画像の合成領域に透過画像合成する透過画像合成手段と、前記透過画像合成の結果である透過合成画像を表示する透過合成画像表示手段と、を具備することを特徴とする画像合成装置である。
【０００７】
画像合成装置は、背景画像を読み込み、背景画像に合成領域を設定し、合成領域に所定の変換処理を行う。画像合成装置は、透過テクスチャ画像を読み込み、透過テクスチャ画像から透過情報と色情報とを分離する。画像合成装置は、透過情報と色情報とに対してそれぞれ所定の変換処理を行って背景画像の合成領域に透過画像合成し、透過合成画像を表示する。
【０００８】
背景画像は、画像合成の原画像である。透過テクスチャ画像は、透過性を有する柄画像である。透過テクスチャ画像は、例えば、ＰＮＧ形式あるいはＴＩＦＦ形式の画像データである。ＰＮＧ形式あるいはＴＩＦＦ形式の画像データは、色情報を示すＲ成分及びＢ成分及びＧ成分と、透過情報を示すαチャンネル成分と、を含む。
【０００９】
第１の発明では、画像合成装置は、透過テクスチャ画像が含む透過情報を分離して変換処理を行い、背景画像の合成領域に透過的に透過テクスチャ画像を合成するので、透過画像合成に係る作業負荷を軽減することができる。高度な操作技術や経験がなくとも透過画像合成を行うことができる。
【００１０】
第２の発明は、コンピュータを第１の発明の画像合成装置として機能させるプログラムである。
第３の発明は、コンピュータを第１の発明の画像合成装置として機能させるプログラムを記録したコンピュータ読取可能な記録媒体である。
上述のプログラムをＣＤ−ＲＯＭ等の記録媒体に保持させて流通させてもよいし、このプログラムを通信回線を介して送受することもできる。
【発明の効果】
【００１１】
本発明によれば、透過画像合成に係る操作負担を軽減することを可能とする画像合成装置を提供することができる。
【発明を実施するための最良の形態】
【００１２】
以下、添付図面を参照しながら、画像合成装置の好適な実施形態について詳細に説明する。尚、以下の説明及び添付図面において、略同一の機能構成を有する構成要素については、同一の符号を付することにより重複説明を省略することにする。
【００１３】
（１．画像合成装置１の構成）
最初に、図１を参照しながら、画像合成装置１の構成について説明する。
図１は、画像合成装置１の構成図である。
【００１４】
画像合成装置１は、ワークステーションやパーソナルコンピュータ等である。画像合成装置１は、背景画像読込手段１１、合成領域設定変換手段１２、テクスチャ画像読込手段１３、透過情報分離手段１４、画像合成手段１５、合成画像表示手段１６、背景画像３１及びテクスチャ画像３２（一般テクスチャ画像３３及び透過テクスチャ画像３４）を保持する記憶部２３を備える。
【００１５】
背景画像読込手段１１は、原画像である背景画像３１を選択して読み込む。合成領域設定変換手段１２は、合成領域の設定を行い、遠近変換や曲面変換や陰影処理等の合成領域の変換を行う。テクスチャ画像読込手段１３は、柄画像であるテクスチャ画像３２（一般テクスチャ画像３３及び透過テクスチャ画像３４）を選択して読み込む。透過情報分離手段１４は、透過テクスチャ画像３４から透過情報を分離する。画像合成手段１５は、一般画像合成あるいは透過画像合成を行い、一般合成画像あるいは透過合成画像を作成する。一般画像合成では、背景画像３１と一般テクスチャ画像３３とが非透過的に画像合成される。透過画像合成では、背景画像３１と透過テクスチャ画像３４とが透過的に画像合成される。合成画像表示手段１６は、画像合成結果である一般合成画像あるいは透過合成画像を出力する。
【００１６】
（２．ハードウェア構成）
次に、図２を参照しながら、画像合成装置１のハードウェア構成について説明する。
図２は、画像合成装置１のハードウェア構成図である。
尚、図２のハードウェア構成は一例であり、用途、目的に応じて様々な構成を採ることが可能である。
【００１７】
画像合成装置１は、ＣＰＵ２１、メモリ２２、記憶部２３、表示部２４、入力部２５、出力部２６、通信部２７がシステムバス２８を介して接続されて構成される。
【００１８】
ＣＰＵ２１（Ｃｅｎｔｒａｌ  Ｐｒｏｃｅｓｓｉｎｇ  Ｕｎｉｔ）は、演算処理（四則演算や比較演算等）やハードウェアやソフトウェアの動作制御を行う装置である。
【００１９】
メモリ２２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部２３から読み出されたＯＳ（Ｏｐｅｒａｔｉｎｇ  Ｓｙｓｔｅｍ）のプログラム、アプリケーションプログラム等を記憶する。ＲＡＭは、ＣＰＵ２１の主メモリやワークエリアとして機能する。
【００２０】
記憶部２３は、各種データを記憶する装置であり、例えば、ハードディスクである。記憶部２３は、ＣＰＵ２１が実行するプログラム、プログラム実行に必要なデータ、ＯＳ、各種データベース等が格納される。
【００２１】
表示部２４は、表示装置であり、例えば、ＣＲＴモニタ、液晶パネルである。表示部２４は、コンピュータのビデオ機能を実現するための論理回路（ビデオアダプタ等）を有する。
【００２２】
入力部２５は、各種データの入力装置であり、例えば、キーボード、マウスである。出力部２６は、各種データの出力装置であり、例えば、プリンタである。各種メディアとのデータ入出力を行うドライブ装置を入力部２５及び出力部２６として用いることもできる。
【００２３】
通信部２７は、ネットワーク７を介して外部装置と接続・通信する通信制御装置である。例えば、ＴＣＰ／ＩＰを用いたインターネット通信が可能である。
【００２４】
システムバス２８は、各装置間の制御信号、データ信号等の授受を媒介する経路であり、例えば、ＰＣＩ（Ｐｅｒｉｐｈｅｒａｌ  Ｃｏｍｐｏｎｅｎｔ  Ｉｎｔｅｒｃｏｎｎｅｃｔ）バス、ＡＧＰ（Ａｃｃｅｌｅｒａｔｅｄ  Ｇｒａｐｈｉｃｓ  Ｐｏｒｔ）バス、メモリバスである。
【００２５】
画像合成装置１は、記憶部２３やＲＯＭや記録媒体に格納されるプログラム（アプリケーションプログラム、ＯＳのプログラム等）をメモリ２２のＲＡＭにロードしてＣＰＵ２１の制御の下に、各種処理を実行する。
【００２６】
（３．画像合成装置１が保持する情報）
次に、図３を参照しながら、画像合成装置１の記憶部２３が保持する情報について説明する。
図３は、画像合成装置１の記憶部２３が保持する情報を示す図である。
【００２７】
記憶部２３は、複数の背景画像３１、テクスチャ画像３２、ＯＳ３８、アプリケーションプログラム３９が格納される。
背景画像３１は、画像合成に用いる原画像である。
テクスチャ画像３２は、画像合成に用いる柄画像である。テクスチャ画像３２は、一般テクスチャ画像３３と透過テクスチャ画像３４とに大別される。
一般テクスチャ画像３３は、透過情報を有さない画像情報である。一般テクスチャ画像３３は、例えば、ビットマップ（ＢＭＰ）形式の画像情報である。
透過テクスチャ画像３４は、透過情報（αチャンネル）を有する画像情報である。透過テクスチャ画像３４は、例えば、ＰＮＧ形式やＴＩＦＦ形式の画像情報である。
【００２８】
ＯＳ３８（Ｏｐｅｒａｔｉｎｇ  Ｓｙｓｔｅｍ）は、画像合成装置１の各構成部分を駆動制御するプログラムである。
アプリケーションプログラム３９は、画像合成装置１の動作を規定する実行プログラムである。
【００２９】
（４．画素データ）
次に、図４及び図５を参照しながら、テクスチャ画像３２の画素データについて説明する。
【００３０】
（４−１．一般テクスチャ画像３３の画素データ）
図４は、一般テクスチャ画像３３の画素データを示す図である。図４（ａ）は、一般テクスチャ画像３３の画素４１を示す。図４（ｂ）は、画素４１の画素データ４２を示す。
【００３１】
画素データ４２は、位置情報４３及び色情報４４を有する。色情報４４は、Ｒ成分４５、Ｇ成分４６、Ｂ成分４７の各フィールドを有する。
位置情報４３は、画素位置を示す。位置情報４３は、例えば、ＸＹ平面における座標位置（０，０）である。
Ｒ成分４５、Ｇ成分４６、Ｂ成分４７は、それぞれ、色空間における３原色のＲ成分（赤）、Ｇ成分（緑）、Ｂ成分（青）の値を示す。Ｒ成分４５、Ｇ成分４６、Ｂ成分４７は、例えば、８ビットの場合「１２８」、「１０」、「５０」である。
【００３２】
（４−２．透過テクスチャ画像３４の画素データ）
図５は、透過テクスチャ画像３４の画素データを示す図である。図５（ａ）は、透過テクスチャ画像３４の画素５１を示す。図５（ｂ）は、画素５１の画素データ５２を示す。
【００３３】
画素データ５２は、位置情報５３及び色情報５４及び透過情報５８を有する。色情報５４は、Ｒ成分５５、Ｇ成分５６、Ｂ成分５７の各フィールドを有する。透過情報５８は、α成分５９のフィールドを有する。
位置情報５３、Ｒ成分５５、Ｇ成分５６、Ｂ成分５７は、それぞれ、図４の位置情報４３、Ｒ成分４５、Ｇ成分４６、Ｂ成分４７と同様のものである。
α成分５９は、透過度を示す。α成分５９は、例えば、「０（非透過）」「５０（半透過）」「１００（完全透過）」である。
【００３４】
（５．画像合成装置１の動作）
次に、図６〜図１２を参照しながら、画像合成装置１の動作について説明する。一般テクスチャ画像３３を用いて一般画像合成を行う場合（図６）と透過テクスチャ画像３４を用いて透過画像合成を行う場合（図１０）に分けて説明する。
【００３５】
（５−１．一般画像合成）
図６は、一般画像合成における画像合成装置１の動作を示すフローチャートである。
図７は、メイン画面６１を示す図である。
【００３６】
画像合成装置１のＣＰＵ２１は、メイン画面６１を表示部２４に表示する。画像合成装置１のＣＰＵ２１は、入力部２５を介して背景画像３１が選択されると、記憶部２３から背景画像３１を読み込み表示部２４に表示する（ステップ１００１）。
【００３７】
図８は、メイン画面６１ａを示す図である。
画像合成装置１のＣＰＵ２１は、入力部２５を介して点６３が指定（例えば、マウスのクリック操作）されると、メイン画面６１ａを表示部２４に表示する。画像合成装置１のＣＰＵ２１は、背景画像３１から合成領域６４を抽出して表示部２４に表示する（ステップ１００２）。
画像合成装置１のＣＰＵ２１は、合成領域６４に対して所定の変換処理を行う（ステップ１００３）。所定の変換処理は、例えば、遠近変換、曲面変換、陰影処理である。遠近変換は、テクスチャ画像３２の座標値を射影的正規化座標変換を行って背景画像３１上の座標値に変換する処理である。曲面変換は、背景画像３１が含む曲面領域の関数式を算出する処理である。
【００３８】
表示画面６１ａには、テクスチャ画像一覧６５が表示される。テクスチャ画像一覧６５には、柄６６、ファイル名６７が表示される。柄６６は、テクスチャ画像３２の絵や模様等の柄を示す。ファイル名６７は、テクスチャ画像３２の画像データのファイル名である。
【００３９】
図９は、一般画像合成におけるメイン画面６１ｂを示す図である。
画像合成装置１のＣＰＵ２１は、入力部２５を介して項目７０ｂが選択（例えば、マウスのダブルクリック操作）されると、項目７０ｂが示す一般テクスチャ画像３３を記憶部２３から読み込む（ステップ１００４）。
画像合成装置１のＣＰＵ２１は、入力部２５を介して設定サイズ６８及び設定輝度６９が入力されると、設定サイズ６８のパラメータ値に基づいて、一般テクスチャ画像３３のサイズ設定を行う（ステップ１００５）。
【００４０】
画像合成装置１のＣＰＵ２１は、一般画像合成処理を開始する（ステップ１００６）。
画像合成装置１のＣＰＵ２１は、ステップ１００３における合成領域６４の変換処理と同様に、一般テクスチャ画像３３の変換処理を行う（ステップ１００７）。一般テクスチャ画像３３の変換処理は、遠近変換及び曲面変換及び陰影処理である。
画像合成装置１のＣＰＵ２１は、背景画像３１の合成領域６４に変換処理後のテクスチャ画像７１ｂを貼り付けて画像合成を行う（ステップ１００８）。
【００４１】
画像合成装置１のＣＰＵ２１は、設定輝度６９のパラメータ値に基づいて、一般合成画像の輝度調整を行う（ステップ１００９）。
画像合成装置１のＣＰＵ２１は、輝度調整後の一般合成画像７２ｂを表示部２４に表示する（ステップ１０１０）。
【００４２】
以上の過程を経て、画像合成装置は、背景画像を読み込み、背景画像に合成領域を設定し、合成領域に所定の変換処理を行う。画像合成装置は、一般テクスチャ画像を読み込む。画像合成装置は、合成領域と同様に一般テクスチャ画像に所定の変換処理を行う。画像合成装置は、背景画像の合成領域に変換処理後のテクスチャ画像を非透過的に重ねて画像合成を行う。画像合成装置は、一般合成画像の輝度調整を行って一般合成画像を表示する。
一般合成画像７２ｂのテクスチャ画像７１ｂの部分には、背景画像３１の画像情報が一切反映されない。
【００４３】
（５−２．透過画像合成）
図１０は、透過画像合成における画像合成装置１の動作を示すフローチャートである。
ステップ２００１〜ステップ２００３の処理は、図６のステップ１００１〜ステップ１００３の処理と同様の処理である。
【００４４】
図１１は、一般画像合成におけるメイン画面６１ｃを示す図である。
画像合成装置１のＣＰＵ２１は、入力部２５を介して項目７０ｃが選択（例えば、マウスのダブルクリック操作）されると、項目７０ｃが示す透過テクスチャ画像３４を記憶部２３から読み込む（ステップ２００４）。
【００４５】
図１２は、色情報５４と透過情報５８の分離を示す図である。
画像合成装置１のＣＰＵ２１は、透過テクスチャ画像３４を色情報５４と透過情報５８とに分離する（ステップ２００５）。
画像合成装置１のＣＰＵ２１は、色情報５４を用いて非透過テクスチャ画像３５を作成する（ステップ２００６）。非透過テクスチャ画像３５は、一般テクスチャ画像３３と同様のものであり、透過情報を有さない画像情報である。非透過テクスチャ画像３５は、例えば、ビットマップ（ＢＭＰ）形式の画像情報である。
【００４６】
画像合成装置１のＣＰＵ２１は、入力部２５を介して設定サイズ６８及び設定輝度６９が入力されると、設定サイズ６８のパラメータ値に基づいて、非透過テクスチャ画像３５のサイズ設定を行う（ステップ２００７）。
【００４７】
画像合成装置１のＣＰＵ２１は、透過画像合成処理を開始する（ステップ２００８）。
画像合成装置１のＣＰＵ２１は、ステップ２００３における合成領域６４の変換処理と同様に、非透過テクスチャ画像３５の変換処理を行う（ステップ２００９）。非透過テクスチャ画像３５の変換処理は、遠近変換及び曲面変換及び陰影処理である。尚、ステップ２００９の処理は、図６のステップ１００７の処理と同様の処理である。
画像合成装置１のＣＰＵ２１は、ステップ２００５の処理で透過テクスチャ画像３４から分離した透過情報５８の変換処理を行う（ステップ２０１０）。透過情報５８の変換処理は、遠近変換及び曲面変換である。
画像合成装置１のＣＰＵ２１は、変換処理後の非透過テクスチャ画像３５及び透過情報５８を用いて、背景画像３１の合成領域６４にテクスチャ画像７１ｃを透過的に重ねて透過画像合成を行う（ステップ２０１１）。
【００４８】
画像合成装置１のＣＰＵ２１は、設定輝度６９のパラメータ値に基づいて、透過合成画像の輝度調整を行う（ステップ２０１２）。
画像合成装置１のＣＰＵ２１は、輝度調整後の透過合成画像７２ｃを表示部２４に表示する（ステップ２０１３）。
【００４９】
以上の過程を経て、画像合成装置は、背景画像を読み込み、背景画像に合成領域を設定し、合成領域に所定の変換処理を行う。画像合成装置は、透過テクスチャ画像を読み込む。画像合成装置は、透過テクスチャ画像を色情報と透過情報とに分離し、色情報から非透過テクスチャ画像を作成する。画像合成装置は、非透過テクスチャ画像及び透過情報に所定の変換処理を行う。画像合成装置は、背景画像の合成領域に変換処理後の非透過テクスチャ画像及び透過情報を用いて、テクスチャ画像を透過的に重ねて透過画像合成を行う。画像合成装置は、透過合成画像の輝度調整を行って透過合成画像を表示する。
透過合成画像７２ｃのテクスチャ画像７１ｃの部分には、背景画像３１の画像情報７３が反映される。
【００５０】
（６．効果）
以上説明したように、本発明の実施の形態によれば、画像合成装置は、透過テクスチャ画像が選択されると、色情報と透過情報とに分離する。画像合成装置は、色情報から作成した非透過テクスチャ画像と透過情報に対してそれぞれ変換処理を行い、背景画像の合成領域に透過的にテクスチャ画像を合成する。
このように、画像合成装置は、透過テクスチャ画像の透過情報を分離して変換処理を行い、背景画像の合成領域に透過的にテクスチャ画像を合成するので、透過画像合成に係る作業負荷を軽減することができる。高度な操作技術や経験がなくとも透過画像合成を行うことができる。
【００５１】
（７．変形例）
【００５２】
図１３は、本発明の他の実施の形態に係る画像合成システム１００の構成図である。
上述の実施の形態では、画像合成装置は、単体のスタンドアロン構成の装置であるものとして説明したが、端末装置からネットワーク経由で画像合成装置の機能を利用するようにしてもよい。
【００５３】
画像合成システム１００は、画像合成装置１０１及び端末装置１０２がネットワーク１０３を介して接続されて構成される。通常、複数の端末装置１０２がネットワーク１０３に接続される。
画像合成装置１０１〜端末装置１０２間では、ネットワーク１０３を介して相互に通信可能である。
【００５４】
画像処理装置１０１は、上述の実施の形態における画像合成装置１と同様のものである。
端末装置１０２は、ネットワーク１０３を介して画像合成装置１０１と各種データの授受を行う装置であり、例えば、パーソナルコンピュータ、情報携帯端末、携帯電話等である。
ネットワーク１０３は、インターネット等のネットワークであり、有線、無線を問わない。
【００５５】
画像合成システム１００では、ネットワーク１０３を介して端末装置１０２から背景画像やテクスチャ画像の選択を行い、画像合成装置１０１が合成した合成画像を端末装置１０２に表示させる。
例えば、画像合成システム１００は、ＷＷＷ（Ｗｏｒｌｄ  Ｗｉｄｅ  Ｗｅｂ）技術を用いて実現される。画像合成装置１０１は、Ｗｅｂサーバを搭載する。端末装置１０２はＷｅｂブラウザを搭載する。画像合成装置１０１と端末装置１０２とは、それぞれ、Ｗｅｂサーバ及びＷｅｂブラウザを介してデータの送受信を行う。
【００５６】
これにより、画像合成システム１００の利用者（端末装置１０２の操作者）は、画像合成装置１０１が設置されている店舗等に出向くことなく、端末装置１０２上で合成画像をみることができる。また、画像処理システム１００は、同時かつ複数の利用者に対応可能であるので、短時間でより多くのシステム利用者に対して効率的に購買意欲の促進を図ることができ、さらに、設備導入に係る負担も軽減することができる。
【００５７】
以上、添付図面を参照しながら、本発明に係る画像合成装置の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５８】
【図１】画像合成装置１の構成図
【図２】画像合成装置１のハードウェア構成図
【図３】画像合成装置１の記憶部２３が保持する情報を示す図
【図４】一般テクスチャ画像３３の画素データを示す図
【図５】透過テクスチャ画像３４の画素データを示す図
【図６】一般画像合成における画像合成装置１の動作を示すフローチャート
【図７】メイン画面６１を示す図
【図８】メイン画面６１ａを示す図
【図９】一般画像合成におけるメイン画面６１ｂを示す図
【図１０】透過画像合成における画像合成装置１の動作を示すフローチャート
【図１１】一般画像合成におけるメイン画面６１ｃを示す図
【図１２】色情報５４と透過情報５８の分離を示す図
【図１３】画像合成システム１００の構成図
【符号の説明】
【００５９】
１………画像合成装置
１１………背景画像読込手段
１２………合成領域設定変換手段
１３………テクスチャ画像読込手段
１４………透過情報分離手段
１５………画像合成手段
１６………合成画像表示手段
２１………ＣＰＵ
２３………記憶部
２４………表示部
２５………入力部
３１………背景画像
３２………テクスチャ画像
３３………一般テクスチャ画像
３４………透過テクスチャ画像
５４………色情報
５８………透過情報
６１、６１ａ、６１ｂ、６１ｃ………メイン画面
６４………合成領域
６５………テクスチャ画像一覧
６６………柄
６７………ファイル名
７０ｂ………項目（一般テクスチャ画像）
７１ｂ………テクスチャ画像（一般画像合成時）
７２ｂ………一般合成画像
７０ｃ………項目（透過テクスチャ画像）
７１ｃ………テクスチャ画像（透過画像合成時）
７２ｃ………透過合成画像
７３………背景画像の画像情報
１００………画像合成システム
１０１………画像合成装置
１０２………端末装置
１０３………ネットワーク
【図１】
2008052398.tif 000003
【図２】
2008052398.tif 000004
【図３】
2008052398.tif 000005
【図４】
2008052398.tif 000006
【図５】
2008052398.tif 000007
【図６】
2008052398.tif 000008
【図７】
2008052398.tif 000009
【図８】
2008052398.tif 000010
【図９】
2008052398.tif 000011
【図１０】
2008052398.tif 000012
【図１１】
2008052398.tif 000013
【図１２】
2008052398.tif 000014
【図１３】
2008052398.tif 000015